【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
印刷データと広告情報とを統合するか否かを示す広告出力有無情報を、印刷用カートリッジに備えられた記憶部から取得する広告出力有無情報取得部と、
前記広告出力有無情報が前記印刷データと前記広告情報とを統合することを示す情報である場合に、前記印刷データより当該印刷データの内容を示すキーワードを特定するキーワード特定部と、
前記キーワード特定部にて特定されたキーワードに対応する広告情報を取得する広告情報取得部と、
前記取得した広告情報と前記印刷データとを統合する広告情報統合部と、
前記統合されたデータを出力する印刷データ出力部と、
を有することを特徴とする印刷データ出力装置。
【請求項２】
前記キーワード特定部は、
前記印刷データに含まれている文書データまたは画像データを示す印刷データ種別情報を取得する印刷種別情報取得部と、
前記印刷データ種別情報に応じて印刷データ種別を判定し、前記印刷データの各データ領域のうち前記判定の結果得られた印刷データ種別に特有のデータ領域から、その印刷データの内容を示すキーワードを取得するキーワード取得部と、
前記キーワードの出現頻度値または重要度値の少なくとも何れか一方の値に基づいて、所定の数のキーワードを抽出するキーワード抽出部と、
を有することを特徴とする請求項１に記載の印刷データ出力装置。
【請求項３】
前記キーワードと当該キーワードに固有のキーワード値と広告情報と広告を印刷するか表示するかを示す広告出力種別とを対応付けて記憶する広告情報記憶部と、
前記キーワードと当該キーワード抽出時に算出した前記出現頻度または重要度の少なくともいずれか一方と該キーワードに対応するキーワード値に基づいて、広告の重要度を示す広告重要度を算出する広告重要度算出部と、
前記広告重要度算出部にて算出された広告重要度の値に基づいて、当該広告重要度の算出に用いた所定の数の前記キーワードに対応する広告情報を前記広告情報記憶部から取得して、前記取得した広告情報を前記広告情報取得部に送信する広告情報送信部と、
を有することを特徴とする請求項１または請求項２に記載の印刷データ出力装置。
【請求項４】
前記広告情報記憶部と、前記広告重要度算出部と、前記広告情報送信部とは、通信ネットワークを介して接続された広告情報配信サーバが有する
ことを特徴とする請求項３に記載の印刷データ出力装置。
【請求項５】
前記広告配信サーバとの通信接続の有無を判定する通信接続有無判定部と、
前記通信接続有無判定部にて、前記広告配信サーバとの通信接続がされていないと判断された場合には印刷処理停止を指示する印刷停止処理部と、
を有することを特徴とする請求項４に記載の印刷データ出力装置。
【請求項６】
印刷データ出力装置のコンピュータに実行させるプログラムであって、
印刷データと広告情報とを統合するか否かを示す広告出力有無情報を、印刷用カートリッジに備えられた記憶部から取得する処理と、
前記広告出力有無情報が前記印刷データと前記広告情報とを統合することを示す情報である場合に、前記印刷データより当該印刷データの内容を示すキーワードを特定する処理と、
前記キーワードを特定する処理にて特定されたキーワードに対応する広告情報を取得する処理と、
前記取得した広告情報と前記印刷データとを統合する処理と、
前記統合する処理にて統合されたデータを出力する処理と、
をコンピュータに実行させるプログラム。
【請求項７】
請求項６に記載の処理に加え、
前記キーワードを特定する処理において、
前記印刷データに含まれている文書データまたは画像データを示す印刷データ種別情報を取得する処理と、
前記印刷データ種別情報に応じて印刷データ種別を判定し、前記印刷データの各データ領域のうち前記判定の結果得られた印刷データ種別に特有のデータ領域から、その印刷データの内容を示すキーワードを取得する処理と、
前記キーワードの出現頻度値または重要度値の少なくとも何れか一方の値に基づいて、所定の数のキーワードを抽出する処理と、
をコンピュータに実行させるプログラム。
【請求項８】
請求項６または請求項７に記載の処理に加え、
前記キーワードと当該キーワード抽出時に算出した前記出現頻度または重要度の少なくともいずれか一方と該キーワードに対応するキーワード値に基づいて、広告の重要度を示す広告重要度を算出する処理と、
少なくとも前記キーワードと当該キーワードに固有のキーワード値と広告情報と広告を印刷するか表示するかを示す広告出力種別とを対応付けて記憶する広告情報記憶部から、前記広告重要度の値に基づいて、当該広告重要度の算出に用いた所定の数の前記キーワードに対応する広告情報を取得して、前記取得した広告情報を前記広告情報取得部に送信する処理と、
をコンピュータに実行させるプログラム。
【請求項９】
印刷データ出力装置のコンピュータに実行させるプログラムを記憶する記録媒体であって、
印刷データと広告情報とを統合するか否かを示す広告出力有無情報を、印刷用カートリッジに備えられた記憶部から取得する処理と、
前記広告出力有無情報が前記印刷データと前記広告情報とを統合することを示す情報である場合に、前記印刷データより当該印刷データの内容を示すキーワードを特定する処理と、
前記キーワードを特定する処理にて特定されたキーワードに対応する広告情報を取得する処理と、
前記取得した広告情報と前記印刷データとを統合する処理と、
前記統合されたデータを出力する処理と、
をコンピュータに実行させるプログラムを記憶する記録媒体。
【請求項１０】
請求項９に記載の記録媒体の記憶するプログラム処理に加え、
前記キーワードを特定する処理において、
前記印刷データに含まれている文書データまたは画像データを示す印刷データ種別情報を取得する処理と、
前記印刷データ種別情報に応じて印刷データ種別を判定し、前記印刷データの各データ領域のうち前記判定の結果得られた印刷データ種別に特有のデータ領域から、その印刷データの内容を示すキーワードを取得する処理と、
前記キーワードの出現頻度値または重要度値の少なくとも何れか一方の値に基づいて、所定の数のキーワードを抽出する処理と、
をコンピュータに実行させるプログラムを記憶する記録媒体。
【請求項１１】
請求項９または請求項１０の記録媒体の記憶するプログラム処理に加え、
前記キーワードと当該キーワード抽出時に算出した前記出現頻度または重要度の少なくともいずれか一方と該キーワードに対応するキーワード値に基づいて、広告の重要度を示す広告重要度を算出する処理と、
少なくとも前記キーワードと当該キーワードに固有のキーワード値と広告情報と広告を印刷するか表示するかを示す広告出力種別とを対応付けて記憶する広告情報記憶部から、 
前記広告重要度の値に基づいて、当該広告重要度の算出に用いた所定の数の前記キーワードに対応する広告情報を取得して、前記取得した広告情報を前記広告情報取得部に送信する処理と、
をコンピュータに実行させるプログラムを記憶する記録媒体。
【請求項１２】
請求項９または請求項１０の記録媒体の記憶するプログラム処理に加え、
広告配信サーバとの通信接続の有無を判定する処理と、
前記通信接続の有無を判定する処理にて、前記広告配信サーバとの通信接続がされていないと判断された場合には印刷処理停止を指示する処理と、
をコンピュータに実行させるプログラムを記憶する記録媒体。
【請求項１３】
印刷データ出力装置の印刷データ出力方法であって、
前記印刷データ出力装置の広告出力有無情報読取部が、印刷データと広告情報とを統合するか否かを示す広告出力有無情報を、印刷用カートリッジに備えられた記憶部から取得し、
前記印刷データ出力装置のキーワード特定部が、前記広告出力有無情報が前記印刷データと前記広告情報とを統合することを示す情報である場合に、前記印刷データより当該印刷データの内容を示すキーワードを特定し、
前記印刷データ出力装置の広告情報取得部が、前記キーワード特定部にて特定されたキーワードに対応する広告情報を取得し、
前記印刷データ出力装置の広告情報統合部が、前記取得した広告情報と前記印刷データとを統合し、
前記印刷データ出力装置の印刷データ出力部が、前記統合されたデータを出力する
ことを特徴とする印刷データ出力方法。
【請求項１４】
前記印刷データ出力装置の前記キーワード特定部において、さらに、
印刷種別情報取得部が、前記印刷データに含まれている文書データまたは画像データを示す印刷データ種別情報を取得し、
キーワード取得部が、前記印刷データ種別情報に応じて印刷データ種別を判定し、前記印刷データの各データ領域のうち前記判定の結果得られた印刷データ種別に特有のデータ領域から、その印刷データの内容を示すキーワードを取得し、
キーワード抽出部が、前記キーワードの出現頻度値または重要度値の少なくとも何れか一方の値に基づいて、所定の数のキーワードを抽出する
ことを特徴とする請求項１３に記載の印刷データ出力方法。
【請求項１５】
前記印刷データ出力装置の広告情報記憶部が、前記キーワードと当該キーワードに固有のキーワード値と広告情報と広告を印刷するか表示するかを示す広告出力種別とを対応付けて記憶し、
前記印刷データ出力装置の広告重要度算出部が、前記キーワードと当該キーワード抽出時に算出した前記出現頻度または重要度の少なくともいずれか一方と該キーワードに対応するキーワード値に基づいて、広告の重要度を示す広告重要度を算出し、
前記印刷データ出力装置の広告情報送信部が、前記広告重要度算出部にて算出された広告重要度の値に基づいて、当該広告重要度の算出に用いた所定の数の前記キーワードに対応する広告情報を前記広告情報記憶部から取得して、前記取得した広告情報を前記広告情報取得部に送信する
ことを特徴とする請求項１３または請求項１４に記載の印刷データ出力方法。